(57)【要約】      （修正有）【課題】硬化後のシーリング材の伸縮疲労負荷を低減すると共に、接着面積の増大によるシーリング材の防水性能の長寿命化を実現するハットジョイナー及び目地構造を提供する。【解決手段】ハットジョイナー１０は、平面状の第１縁部１１及び第２縁部１２と、第１縁部及び第２縁部の間に位置する断面半円状の頭部１３とを備える。また、目地構造１００は、第１サイディング２１及び第２サイディング２２の間に配置され、このハットジョイナーと、ハットジョイナーの頭部上に充填されたシーリング材４０とを備える。【選択図】図１
0003205657.tif 000002
【実用新案登録請求の範囲】
【請求項１】
平面状の第１縁部及び第２縁部と、
前記第１縁部及び前記第２縁部の間に位置する断面半円状の頭部とを備える、ハットジョイナー。
【請求項２】
第１サイディング及び第２サイディングの間に配置される目地構造であって、
平面状の第１縁部及び第２縁部と、前記第１縁部及び前記第２縁部の間に位置する断面半円状の頭部とを有する、ハットジョイナーと、
前記頭部上に充填されたシーリング材とを備える、目地構造。
【考案の詳細な説明】
【技術分野】
【０００１】
本考案は、窯業系サイディング用のハットジョイナー、特に半円頭型のハットジョイナー及びこれを用いた目地構造に関する。
【背景技術】
【０００２】
近年では、建築物の長寿命化の要求が高まり、戸建住宅の外壁に用いられている窯業系サイディングについても、耐候性に優れた塗装仕様の採用等によって長寿命化が図られてきている。この窯業系サイディングで外壁を構成する際には、目地を形成し、弾性の不定形シーリング材を充填して、壁体内への水の浸入を防止する防水工法が一般的におこなわれている。
【０００３】
そのため、目地に充填されるシーリング材の性能も重要な選択要素であり、例えば、特許文献１には、良好な耐候性を有するシーリング材として使用できる硬化性組成物が開示されている。また、窯業系サイディングの収縮に伴う目地の動きに追従できる低モジュラスのシーリング材も開発され採用されてきている。
【先行技術文献】
【特許文献】
【０００４】
【特許文献１】特開２０１５−１４０３８３号公報
【考案の概要】
【考案が解決しようとする課題】
【０００５】
外壁を構成する主要な材料である、窯業系サイディング及びシーリング材共に、材料自体の長寿命化への取り組みは進んでいるものの、目地の設計上の変更は、経済的な問題から進んでいないのが現状である。
【課題を解決するための手段】
【０００６】
上記課題を解決するため、本考案は、経済性も加味しつつ、防水寿命を改善するための方法として、窯業系サイディングの目地形成に用いられている、いわゆる「ハットジョイナー」の形状を改良して目地防水の長寿命化を達成するものである。
【０００７】
本考案の一例としてのハットジョイナーは、平面状の第１縁部及び第２縁部と、前記第１縁部及び前記第２縁部の間に位置する断面半円状の頭部とを備えることを特徴とする。
【０００８】
また、本考案の他の例としての目地構造は、第１サイディング及び第２サイディングの間に配置される目地構造であって、平面状の第１縁部及び第２縁部と、前記第１縁部及び前記第２縁部の間に位置する断面半円状の頭部とを有する、ハットジョイナーと、前記頭部上に充填されたシーリング材とを備えることを特徴とする。
【考案の効果】
【０００９】
本考案に係るハットジョイナー及び目地構造によれば、硬化後のシーリング材の伸縮疲労負荷を低減できると共に、シーリング材のサイディング端部に対する接着面積の増大によるシーリング材の防水性能の長寿命化を実現できる。
【図面の簡単な説明】
【００１０】
【図１】ハットジョイナーを説明するための概略断面図である。
【考案を実施するための形態】
【００１１】
以下、本考案を実施するための例示的な実施形態を、図面を参照して詳細に説明する。ただし、以下の実施形態で説明する寸法、材料、形状、及び構成要素の相対的な位置等は任意であり、本考案が適用される装置の構成又は様々な条件に応じて変更できる。また、特別な記載がない限り、本考案の範囲は、以下に具体的に記載された実施形態に限定されるものではない。
【実施例】
【００１２】
図１は、戸建住宅の外壁に留め付けられた窯業系サイディングの目地１００の一例を示す概略断面図である。なお、図１は、ハットジョイナー１０の長手方向に直交する幅方向に沿った断面を示している。
【００１３】
図１に示すように、ハットジョイナー１０は、平面状の第１縁部１１及び第２縁部１２を備えている。また、ハットジョイナー１０は、第１縁部１１及び第２縁部１２の間に位置する半円頭形状、すなわち、断面半円状の曲面を有する頭部１３を備えている。この頭部１３は、第１縁部１１及び第２縁部１２から連続すると共に、表面側に向かって突出している。
【００１４】
ハットジョイナー１０の頭部１３は、隣接する第１サイディング２１及び第２サイディング２２の間に挟まれている。さらに、頭部１３の表面上には、シーリング材４０が充填されている。このようにして、ハットジョイナー１０とシーリング材４０とを備える目地１００が、第１サイディング２１及び第２サイディング２２の間に配置されている。なお、ハットジョイナー１０の第１縁部１１及び第２縁部１２の胴縁３０に面する裏面は、胴縁３０と当接している。
【００１５】
ハットジョイナー１０は、鋼板を板金加工することによって形成することができる。具体的には、第１縁部１１及び第２縁部１２との間の中央部分を表面側に屈曲させて頭部１３を形成する。そして、第１縁部１１及び第２縁部１２の端縁を表面側に折り返す。さらに、頭部１３の表面及び必要に応じて側面には、シーリング材４０が接着しないように発泡ポリエチレン等を張り付ける。このようにして、第１縁部１１と、第２縁部１２と、頭部１３とを有するハットジョイナー１０を形成する。なお、頭部１３の高さ、すなわち、第１縁部１１及び第２縁部１２からの突出量は、例えば、第１サイディング２１及び第２サイディング２２の厚みの１／３〜２／３とすることができる。
【００１６】
また、シーリング材４０としては、例えば、イソシアネート基含有ウレタンプレポリマーを含有する硬化性組成物を用いることができる。この硬化性組成物は、市販品としては「オートンサイディングシーラント」、「オートンイクシード１５＋」（何れもオート化学工業社製）等があげられる。
【００１７】
［サイディングの固定方法］
第１サイディング２１及び第２サイディング２２と、ハットジョイナー１０とは、不図示の釘を用いて胴縁３０に固定されている。具体的には、第１サイディング２１の端面がハットジョイナー１０の頭部１３の一の側面に当接するように、第１サイディング２１をハットジョイナー１０の第１縁部１１に重ねる。そして、第１サイディング２１の表面から釘を打ち付けて、第１サイディング２１とハットジョイナー１０とを胴縁３０に固定する。
【００１８】
次に、第２サイディング２２の端面が頭部１３の他の側面に当接するように、第２サイディング２２を第２縁部１２に重ねる。そして、第２サイディング２２の表面から釘を打ち付けて、第２サイディング２２とハットジョイナー１０とを胴縁３０に固定する。その後、第１サイディング２１及び第２サイディング２２の間の間隙を埋めるように、頭部１３の表面にシーリング材４０を充填する。シーリング材４０の充填後には余分な部分をヘラでかきとって、充填されたシーリング材４０を硬化させる。なお、胴縁３０は柱（間柱）５０に固定されており、釘は第１縁部１１及び第２縁部１２をそれぞれ貫通する。
【００１９】
また、シーリング材４０の表面には、外観の向上を目的とする表面塗布剤を塗布することもできる。この表面塗布剤は、例えば、スプレー塗布機又は噴霧器等による吹き付け、若しくは刷毛又はローラー等による塗布によって塗布することができる。
【００２０】
以上説明した本考案に係るハットジョイナー１０及び目地１００によれば、半円状の曲面を有する頭部１３を備えることにより、シーリング材４０が頭部１３によって拡張された左右の第１サイディング２１及び第２サイディング２２の端面に接着される。そのため、目地深さ（第１サイディング２１及び第２サイディング２２の表面からハットジョイナー頭頂部までの深さ）が同じ場合、頭部１３が平面状の場合と比較すると、第１サイディング２１および第２サイディング２２の端面と硬化後のシーリング材４０との接着面積が増大する。
【００２１】
接着面積が増大することによって、硬化後のシーリング材４０の伸縮疲労負荷を低減することができる。これにより、シーリング材４０が第１サイディング２１及び第２サイディング２２から剥離すること、又はシーリング材４０が破壊されることを抑制して、シーリング材４０の防水性能の長寿命化を実現できる。
【００２２】
以上、各実施形態を参照して本考案について説明したが、本考案は上記実施形態に限定されるものではない。本考案に反しない範囲で変更された考案、及び本考案と均等な考案も本考案に含まれる。また、上述の各実施形態及び各変形例は、本考案に反しない範囲で適宜組み合わせることができる。
【００２３】
例えば、頭部１３の断面形状は半円状には限定されず、半楕円状であってもよい。また、図１においては、頭部１３の両側面、すなわち第１縁部１１及び第２縁部１２から立ち上がる部分が第１サイディング２１及び第２サイディング２２と当接している。しかし、頭部１３の両側面と第１サイディング２１及び第２サイディング２２との間に隙間を形成してもよい。これにより、頭部１３上だけでなく、両側面と対峙する第１サイディング２１および第２サイディング２２の端面もシーリング材４０と接着するため、第１サイディング２１および第２サイディング２２の端面と硬化後のシーリング材４０との接着面積がより増大する。
【符号の説明】
【００２４】
１０  ：ハットジョイナー
１１  ：第１縁部
１２  ：第２縁部
１３  ：頭部
２１  ：第１サイディング
２２  ：第２サイディング
３０  ：胴縁
４０  ：シーリング材
５０  ：柱
１００：目地
【図１】
0003205657.tif 000003